(57)【要約】【課題】手指と積層シート体との相対位置を変える必要がなく、シート体を容易に捲ることができる積層シート体を提供する。【解決手段】複数枚のシート体２を糊付け部７を介して剥離可能に積層し、積層方向に隣り合う各シート体２のうち、積層方向の一端側のシート体２の端縁が積層方向の他端側のシート体２の端縁よりも外側に突出する傾斜捲り部４を備え、シート体２の少なくとも糊付け部７から遠い側に、シート体２の周方向に向きの異なる複数の傾斜捲り部５，６を備えたものである。【選択図】図１
0003211459.tif 000002
【実用新案登録請求の範囲】
【請求項１】
複数枚のシート体を糊付け部を介して剥離可能に積層し、積層方向に隣り合う前記各シート体のうち、積層方向の一端側の前記シート体の端縁が積層方向の他端側の前記シート体の端縁よりも外側に突出する傾斜捲り部を備えた積層シート体において、
前記シート体の少なくとも前記糊付け部から遠い側に、前記シート体の周方向に向きの異なる複数の前記傾斜捲り部を備えた
ことを特徴とする積層シート体。
【請求項２】
前記複数枚のシート体を上下に積層し、
前記傾斜捲り部は上側の前記シート体の端縁が下側の前記シート体の端縁よりも突出する
ことを特徴とする請求項１に記載の積層シート体。
【請求項３】
前記シート体の前記糊付け部から遠い側に傾斜捲り部を配置し、
前記傾斜捲り部に対して前記周方向の片側又は両側に前記傾斜捲り部とは異なる向きに別の傾斜捲り部を配置した
ことを特徴とする請求項１又は２に記載の積層シート体。
【請求項４】
前記シート体は略四辺形であり、
該シート体の一方の相対向する二辺の一方に前記糊付け部を、他方に前記傾斜捲り部を夫々備え、
前記シート体の他方の相対向する二辺の一方又は両方の少なくとも前記糊付け部から遠い側に別の前記傾斜捲り部を備えた
ことを特徴とする請求項３に記載の積層シート体。
【請求項５】
前記シート体の外周側に周方向に複数の凸部を備え、
該凸部に前記傾斜捲り部を設けた
ことを特徴とする請求項１〜４の何れかに記載の積層シート体。
【請求項６】
積層方向の一方側の前記シート体の端縁が他方側の前記シート体の端縁よりも外側に突出する一方側用傾斜捲り部と、
積層方向の前記シート体の他方側の端縁が一方側の前記シート体の端縁よりも外側に突出する他方側用傾斜捲り部とを周方向に向きを変えて複数備えた
ことを特徴とする請求項１に記載の積層シート体。
【考案の詳細な説明】
【技術分野】
【０００１】
本考案は、メモ用紙、付箋紙等の複数枚のシート体を剥離可能に積層した積層シート体に関するものである。
【背景技術】
【０００２】
メモ用紙、付箋紙等のシート体を糊付け部を介して剥離可能に上下方向に複数枚に積層した積層シート体には、従来、相対向する二辺の一方に糊付け部を、他方に傾斜捲り部を夫々備え、その傾斜捲り部では上側のシート体の端縁がその下側に隣り合うシート体の端縁よりも外側に突出するように傾斜状にしたものがある（特許文献１）。
【先行技術文献】
【特許文献】
【０００３】
【特許文献１】特開平１１−３０１１４０号公報
【考案の概要】
【考案が解決しようとする課題】
【０００４】
この積層シート体は、傾斜捲り部では上側のシート体の端縁が下側のシート体の端縁よりも外側に突出しているため、上側のシート体の突出部分に手指を掛けて上側のシート体を捲ればよいので、積層シート体を机等の上に置いた状態でも、手指の向きが傾斜捲り部の向きと一致すれば、片手でも上側のシート体から順次容易に捲ることが可能であり、上下のシート体の端縁が同一長さに揃ったものに比較して、上側のシート体を捲る際の取り扱いが容易になる利点がある。
【０００５】
しかし、従来の積層シート体は、傾斜捲り部がシート体の糊付け部と反対側の１箇所のみである。そのため積層シート体を机の上に置いた場合に、その傾斜捲り部の角度がシート体を捲り易い手指の向きに一致するとは限らず、傾斜捲り部に合わせて手指を伸ばす姿勢を変えるか、机の上の積層シート体を動かして傾斜捲り部の向きを手指に合わせて変える等の必要があり、その都度、シート体が捲り易くなるように手指と積層シート体との相対位置を変更しなければならないと云う煩わしさがある。
【０００６】
本考案は、このような従来の問題点に鑑み、手指と積層シート体との相対位置を変える必要がなく、シート体を容易に捲ることができる積層シート体を提供することを目的とする。
【課題を解決するための手段】
【０００７】
本考案は、複数枚のシート体を糊付け部を介して剥離可能に積層し、積層方向に隣り合う前記各シート体のうち、積層方向の一端側の前記シート体の端縁が積層方向の他端側の前記シート体の端縁よりも外側に突出する傾斜捲り部を備えた積層シート体において、前記シート体の少なくとも前記糊付け部から遠い側に、前記シート体の周方向に向きの異なる複数の前記傾斜捲り部を備えたものである。
【０００８】
前記複数枚のシート体を上下に積層し、前記傾斜捲り部は上側の前記シート体の端縁が下側の前記シート体の端縁よりも突出するようにしてもよい。前記シート体の前記糊付け部から遠い側に傾斜捲り部を配置し、前記傾斜捲り部に対して前記周方向の片側又は両側に前記傾斜捲り部とは異なる向きに別の傾斜捲り部を配置してもよい。
【０００９】
前記シート体は略四辺形であり、該シート体の一方の相対向する二辺の一方に前記糊付け部を、他方に前記傾斜捲り部を夫々備え、前記シート体の他方の相対向する二辺の一方又は両方の少なくとも前記糊付け部から遠い側に別の前記傾斜捲り部を備えたものでもよい。前記シート体の外周側に周方向に複数の凸部を備え、該凸部に前記傾斜捲り部を設けてもよい。
【００１０】
積層方向の一方側の前記シート体の端縁が他方側の前記シート体の端縁よりも外側に突出する一方側用傾斜捲り部と、積層方向の前記シート体の他方側の端縁が一方側の前記シート体の端縁よりも外側に突出する他方側用傾斜捲り部とを周方向に向きを変えて複数備えたものでもよい。
【考案の効果】
【００１１】
本考案によれば、手指と積層シート体との相対位置を変える必要がなく、シート体を容易に捲ることができる利点がある。
【図面の簡単な説明】
【００１２】
【図１】本考案の第１の実施形態を示す積層シート体の斜視図である。
【図２】同積層シート体の正面図である。
【図３】同積層シート体の底面図である。
【図４】同積層シート体の要部の拡大図である。
【図５】同積層シート体の製造方法を示す正面図である。
【図６】本考案の第２の実施形態を示す積層シート体の斜視図である。
【図７】同積層シート体の正面図である。
【図８】同積層シート体の側面図である。
【図９】同積層シート体の底面図である。
【図１０】同積層シート体の製造方法を示す正面図である。
【図１１】同積層シート体の製造方法を示す平面図である。
【図１２】本考案の第３の実施形態を示す積層シート体の斜視図である。
【図１３】同積層シート体の底面図である。
【図１４】本考案の第４の実施形態を示す積層シート体の斜視図である。
【図１５】同積層シート体の底面図である。
【図１６】本考案の第５の実施形態を示す積層シート体の底面断面図である。
【図１７】同要部の拡大図である。
【図１８】本考案の第６の実施形態を示す積層シート体の平面図である。
【図１９】同要部の拡大断面図である。
【考案を実施するための形態】
【００１３】
以下、本考案の各実施形態を図面に基づいて詳述する。
【００１４】
図１〜図５は机等の上に置いて使用するメモ帳等の積層シート体１に採用した本考案の第１の実施形態を示す。この積層シート体１は、図１〜図３に示すように、上下方向に積層された複数枚のシート体２と、この複数枚のシート体２を保護する表紙３とを備えており、外周側には向きの異なる傾斜捲り部４〜６が周方向に複数設けられている。シート体２は略四辺形状に裁断されたメモ用紙等であって、その一辺側の糊付け部７で上側から順次剥離可能に糊付けされている。
【００１５】
表紙３は、最上位のシート体２の上側に対応する上表紙部８と、最下位のシート体２の下側に対応する下表紙部９と、上表紙部８及び下表紙部９を接続する背表紙部１０とを有する。なお、上表紙部８、下表紙部９は、対応するシート体２と略同じ大きさか、または対応するシート体２よりも若干大である。背表紙部１０は糊付け部７で複数枚のシート体２に対して糊付けされている。
【００１６】
シート体２の一方の相対向する二辺のうち、その一方には糊付け部７が設けられ、この糊付け部７と反対の他方には傾斜捲り部４が設けられている。またシート体２の他方の相対向する二辺には、傾斜捲り部４とは向きの異なる別の傾斜捲り部５，６が設けられている。二辺の傾斜捲り部５，６は向きが略１８０度異なる逆向きであり、傾斜捲り部４に対しても略９０度異なる向きになっている。糊付け部７は複数枚のシート体２に跨がってシート体２の平面に対して略垂直状になっている。
【００１７】
各傾斜捲り部４〜６は、図４に示すように、上下方向に隣り合う各シート体２Ａ，２Ｂのうち、その上側のシート体２Ａの端縁２ａが下側のシート体２Ｂの端縁２ｂよりも外側に突出して、複数枚のシート体２を積層した積層シート体１の全体として見た場合に、上側になるほど端縁が外側に突出する傾斜状になっている。各傾斜捲り部４〜６は異なる向きとなるようにシート体２の周方向の三辺に配置されている。なお、各傾斜捲り部４〜６は、シート体２の各辺の略全長に設けられている。
【００１８】
この積層シート体１を製造するに当たっては、例えば図５に示すように、帯状シート体１１を複数枚積層した帯状積層体１２を用い、この帯状積層体１２を上下動自在な押え部材１４により受け台１３上に積層方向に押え付けた後、一対のクランプ手段１５，１６により帯状積層体１２を押し上げながら積層方向にクランプして、二点鎖線に示すように押え部材１４とクランプ手段１５，１６との間で傾斜捲り部４〜６の傾き量に応じて帯状積層体１２を上側へと湾曲させる。
【００１９】
次に押え部材１４に沿って上下動自在な裁断刃１７により、帯状シート体１１を裁断位置１８で裁断して、複数枚のシート体２が積層された積層体１９を得る。この積層体１９は、糊付け部７に対応する裁断位置１８側が垂直となり、それと反対側に傾斜捲り部４が形成されたものとなる。この積層体１９には、その後に次工程へと送り、逆向きの傾斜捲り部５，６を設けてもよい。逆向きの傾斜捲り部５，６は積層体１９の端部を湾曲させた状態で、その端部を裁断することにより設けることができる。
【００２０】
なお、帯状シート体１１を積層した帯状積層体１２を製造する際に、その幅方向の両側に傾斜捲り部５，６を設けてもよい。
【００２１】
積層体１９を次工程へと送る一方、押え部材１４による帯状積層体１２の押えを解除しながら、クランプ手段１５，１６を下降方向に戻して受け台１３上の帯状シート体１１を真っ直ぐに伸ばして、帯状シート体１１をシート体２の長さ分だけ長手方向に送り、同様の動作を繰り返す。これによって帯状シート体１１を積層した帯状積層体１２から複数枚のシート体２を積層した積層体１９を作ることができる。
【００２２】
積層体１９の三辺に傾斜捲り部４〜６を設けた後、残りの一辺の垂直部分を糊付け部７で糊付けして表紙３を着ければ、図１〜図３に示すように三辺に傾斜捲り部４〜６が形成された積層シート体１を製造することができる。
【００２３】
このような構成のメモ帳等の積層シート体１は、その外周側に方向の異なる三つの傾斜捲り部４〜６があるので、上表紙部８を開放すれば、三つの傾斜捲り部４〜６の何れかが手指の方向と一致することになり、各シート体２を上側から順次容易に捲ることができ、手指と傾斜捲り部４〜６との相対位置を変える等の煩わしさを解消することができる。
【００２４】
即ち、この積層シート体１には、その糊付け部７を除く三辺に向きの異なる傾斜捲り部４〜６があるため、その三辺の傾斜捲り部４〜６の何れかが手指の向きに対応することになる。
【００２５】
従って、そのときの手指の向きに対応する位置関係にある何れかの傾斜捲り部４〜６において、最上側のシート体２の端縁に手指を掛けて捲ればよく、従来の一辺にのみ傾斜捲り部４〜６を備えたものの場合に必要であった手指と積層シート体１との相対位置を変える等の煩わしさを解消することができ、シート体２の使用に際しての利便性が著しく向上する。
【００２６】
また傾斜捲り部４〜６は三辺の略全長にあるので、各辺の長い傾斜捲り部４〜６に手指を掛ければよく、範囲が長いため、各シート体２が更に捲り易くなる利点がある。
【００２７】
図６〜図１１は本考案の第２の実施形態を例示する。この実施形態の積層シート体１は、図６〜図９に示すように、シート体２の一方の相対向する二辺の一方には糊付け部７が、糊付け部７と反対の他方には傾斜捲り部４が夫々設けられ、またシート体２の他方の相対向する二辺には、糊付け部７から遠い側に傾斜捲り部５，６が夫々設けられている。
【００２８】
傾斜捲り部５，６は、シート体２の二辺の長さＸ１の内、糊付け部７から遠い側、即ち傾斜捲り部４に近い側の略半分以上の長さＸ２にわたって設けられている。この傾斜捲り部５，６は、シート体２の糊付け部７と反対側の両隅部に略底面視三角形状に形成されている。最上位のシート体２と上表紙部８は略四辺形であり、最下位のシート体２は、傾斜捲り部４に近い側を角度αで略三角形状に切除した斜辺部が形成されており、最下位のシート体２から順次上側になるに従って斜辺の角度αが小さくなっている。なお、この積層シート体１の他の構成は、第１の実施形態と略同じである。
【００２９】
この積層シート体１を製造する場合には、例えば複数枚のシート体２を積層した積層体１９の段階で各シート体２を糊付け部７で糊付けする。そして、その積層体１９の糊付け部７と反対側に傾斜捲り部４を形成し、次に図１０、図１１に示すように、二辺側の隅部を受け台１３上に押し当てて、その積層体１９をクランプ手段１５，１６によりクランプして湾曲させる。その後、裁断刃１７により押え部材１４に沿って各シート体２の隅部を裁断する。
【００３０】
このようにして二辺の隅部を順次裁断すれば、傾斜捲り部４とは異なる向きの傾斜捲り部５，６を容易に設けることができる。
【００３１】
このような構成の積層シート体１においても、糊付け部７から遠い側に傾斜捲り部４があり、この傾斜捲り部４の両側に配置された二つの傾斜捲り部５，６があるため、その何れかの傾斜捲り部４〜６で上側のシート体２を捲ればよく、第１の実施形態と同様にシート体２を捲る際の利便性が向上する利点がある。
【００３２】
また傾斜捲り部４は勿論のこと、傾斜捲り部５，６もシート体２の二辺のうち、糊付け部７から離れた遠い側にあるので、積層体１９の対応部分を湾曲させて裁断することにより傾斜捲り部５，６を成形する際にも、シート体２を糊付け部７で糊付けしてから、各傾斜捲り部５，６を加工することができる。
【００３３】
図１２、図１３は本考案の第３の実施形態を例示する。この実施形態の積層シート体１は、糊付け部７の両端側又はその近傍側から傾斜捲り部４の両端側へと、シート体２の二辺の略全長に跨がって底面視三角形状に傾斜捲り部５，６が設けられている。他の構成は各実施形態と同様である。
【００３４】
このようにシート体２の二辺に底面視三角形状に傾斜捲り部５，６を設ける場合、その傾斜捲り部５，６の長さは、二辺の長さの略半分程度でもよいし，二辺の長さの略全長でもよい。また二辺の長さの内、糊付け部７から離れた半分未満の一部に設けることも可能である。
【００３５】
図１４、図１５は本考案の第４の実施形態を例示する。この実施形態の積層シート体１は、シート体２の糊付け部７から遠い両端側に外側へと突出する凸部５Ａ，６Ａがあり、その凸部５Ａ，６Ａに傾斜捲り部５，６が設けられている。他の構成は各実施形態と同様である。
【００３６】
このようにシート体２に傾斜捲り部５，６を設けるに当たっては、最下位のシート体２を略四辺形状にして、最下位のシート体２から上側に移るに従ってシート体２の傾斜捲り部５，６の端縁が外側に突出するようにしてもよい。
【００３７】
図１６、図１７は本考案の第５の実施形態を例示する。この実施形態の積層シート体１は、図１６に示すように、略直線状の糊付け部７側を除く外周側に、外側に円弧状に突出する凸部２０Ａが周方向に複数（例えば５個）設けられたシート体２を複数枚積層して構成され、その凸部２０Ａに傾斜捲り部２０が設けられている。傾斜捲り部２０のシート体２の端縁は円弧状になっている。
【００３８】
各シート体２は、図１７に示すように、外周側に円弧状に形成された凸部２０Ａの半径、突出量Ａが異なっており、その凸部２０Ａの半径、突出量Ａが異なるシート体２を複数枚積層することにより、各凸部２０Ａ側に上側のシート体２の端縁が下側のシート体２の端縁よりも突出する傾斜捲り部２０が形成されている。他の構成は各実施形態と同様である。
【００３９】
このように積層シート体１を製造するに際しては、個別に裁断された複数枚のシート体２を積層する方法を採用することも可能である。この場合には、各シート体２を個別に裁断できるため、シート体２の外周の凸部２０Ａを円弧状、その他の形状にする等、外周形状を任意に決定することが可能であり、意匠性に富んだものにできる利点がある。
【００４０】
なお、この実施形態では、各凸部２０Ａに傾斜捲り部２０を設けているが、傾斜捲り部２０の凸部２０Ａと傾斜捲り部２０のない凸部２０Ａとを周方向に交互に配置する等、複数の凸部２０Ａのうち、必要箇所の凸部２０Ａに傾斜捲り部２０を配置してもよい。また糊付け部７側は略直線にしているが、略直線状である必要はなく、曲線状に形成して、その突出部分に糊付け部７を設けてもよい。
【００４１】
図１８、図１９は本考案の第６の実施形態を例示する。この実施形態の積層シート体１は、略四辺形に近い形状のシート体２が採用されている。略直線状の糊付け部７側を除く三辺側は、各辺の長手方向に複数の凸部２１Ａ，２１Ｂが形成された波形状であり、その複数の凸部２１Ａ，２１Ｂに積層方向の一方側用傾斜捲り部２２Ａと他方側用傾斜捲り部２２Ｂとが設けられている。
【００４２】
一方側用傾斜捲り部２２Ａは、積層方向の一方側のシート体２の端縁２ａが他方側のシート体２の端縁２ａよりも外側に突出しており、他方側用傾斜捲り部２２Ｂは逆に積層方向のシート体２の他方側の端縁２ａが一方側のシート体２の端縁２ａよりも外側に突出している。なお、表紙３の上下の各表紙部２３，２４は、傾斜捲り部２２Ａ，２２Ｂを含むシート体２の大きさ、形状に対応する大きさ、形状になっている。他の構成は各実施形態と同様である。
【００４３】
このような構成の積層シート体１では、表裏の概念がなく、その何れを上にして机等に載せた場合でも、同様に使用することができる。
【００４４】
以上、本考案の各実施形態について詳述したが、本考案は各実施形態に限定されるものではなく、その趣旨を逸脱しない範囲で種々の変更が可能である。例えば、各実施形態では積層シート体１として剥離式のメモ帳を例示しているが、付箋紙等でも同様に実施できるし、それら以外のものに採用することも可能である。また実施形態の積層シート体１は表紙３付きのものを例示しているが、表紙３は省略してもよい。
【００４５】
複数枚のシート体２を糊付けする糊付け部７は、略直線状であることが望ましい。しかし、シート体２の糊付け部７側を波状、その他の屈曲状に構成して、その各屈曲部分の突出端側等の一部に、略一直線上に位置するように糊付け部７を配置してもよい。また糊付け部７は連続状に設ける他、間欠的に設けてもよい。
【００４６】
略四辺形状のシート体２の場合、一辺に糊付け部７を設け、他の三辺に傾斜捲り部４〜６を設けるのが望ましいが、糊付け部７を除く三辺のうち、その隣り合う二辺に傾斜捲り部４，５を設けてもよいし、相対向する二辺に傾斜捲り部５，６を設けてもよい。
【００４７】
糊付け部７はシート体２の辺の長手方向の全長に設けることが望ましいが、辺の所定範囲に設けてもよい。また付箋紙等の場合にはシート体２自体が帯状になるため、短辺側の傾斜捲り部４はその略全長に設け、長辺側の傾斜捲り部５，６は、糊付け部７から遠い側の一部に設けてもよい。
【００４８】
また糊付け部７から遠い側の一部に設ける傾斜捲り部４〜６は、長辺側の糊付け部７に近い近傍領域を除く遠い側にあればよく、長辺の略半分程度の位置に傾斜捲り部４〜６を配置してもよい。更にシート体２が付箋紙等の場合には、各シート体２の糊付け部７は、シート体２の端縁側でなく、シート体２の一方の積層面の端部側に粘着剤等を塗工して設ければよい。
【符号の説明】
【００４９】
１  積層シート体
２，２Ａ，２Ｂ  シート体
２ａ，２ｂ  端縁
４〜６，２０  傾斜捲り部
７  糊付け部
２０Ａ，２１Ａ，２１Ｂ  凸部
２２Ａ  一方側用傾斜捲り部
２２Ｂ  他方側用傾斜捲り部
【図１】
0003211459.tif 000003
【図２】
0003211459.tif 000004
【図３】
0003211459.tif 000005
【図４】
0003211459.tif 000006
【図５】
0003211459.tif 000007
【図６】
0003211459.tif 000008
【図７】
0003211459.tif 000009
【図８】
0003211459.tif 000010
【図９】
0003211459.tif 000011
【図１０】
0003211459.tif 000012
【図１１】
0003211459.tif 000013
【図１２】
0003211459.tif 000014
【図１３】
0003211459.tif 000015
【図１４】
0003211459.tif 000016
【図１５】
0003211459.tif 000017
【図１６】
0003211459.tif 000018
【図１７】
0003211459.tif 000019
【図１８】
0003211459.tif 000020
【図１９】
0003211459.tif 000021